(57)【特許請求の範囲】
【請求項１】
電球内に配されるための固体照明装置のためのキャリアであって、単一の平坦で成形可能な基板から形成されており全体的にチューブ形の形状に屈曲されている、キャリアにおいて、
前記キャリアを前記電球内に取り付けるための環状の取付部と、
前記環状の取付部に隣接する近位部から前記環状の取付部から離れた遠位部まで互いに概ね平行に延在していると共に、前記環状の取付部の接線方向において互いに分離されている２つ以上のストリップであって、各ストリップは前記取付部から離れる方向における長さと前記ストリップが前記取付部に接合される場所における前記接線方向の幅とを有し、前記長さは前記幅より少なくとも２倍長く、前記ストリップの少なくとも２つは前記遠位部において異なる長さを有する、ストリップと、
前記取付部から各ストリップに沿って固体照明装置のための少なくとも１つの指定された取付サイトまで延在する１つ以上の導電経路と、
前記取付サイトに取り付けられた固体照明装置と、
を有するキャリア。
【請求項２】
前記長さが前記幅の少なくとも３倍長い、少なくとも４倍長い、又は５倍長い、請求項１に記載のキャリア。
【請求項３】
少なくとも１つの前記ストリップが前記取付部に隣接する近位部と、前記取付部から離れた遠位部とを有し、前記遠位部は前記近位部よりも広い、請求項１又は２に記載のキャリア。
【請求項４】
少なくとも１つの前記ストリップが前記取付部から離れている遠位部を有し、前記遠位部が前記接線方向から見た場合にＶ字状に屈曲されており、１つの前記固体照明装置が前記Ｖ字状の各脚に取付けられている、請求項１乃至３の何れか一項に記載のキャリア。
【請求項５】
少なくとも１つの前記ストリップが、前記ストリップの２つの対向する側の各々に取付けられた固体照明装置を有する、請求項１乃至４の何れか一項に記載のキャリア。
【請求項６】
少なくとも１つのストリップが、自身の上に取付けられた少なくとも２つの前記固体照明装置を有し、前記ストリップは、前記２つの固体照明装置が前記ストリップの対向する表面上に配されるように２つ折りされている、請求項１乃至４の何れか一項に記載のキャリア。
【請求項７】
前記キャリアが、前記取付部から延在する少なくとも１つの締結ストリップを有する、請求項１乃至６の何れか一項に記載のキャリア。
【請求項８】
前記取付部は径方向に複数の貫通孔を有することを特徴とする、請求項１乃至７の何れか一項に記載のキャリア。
【請求項９】
電球であって、
前記電球をランプソケットに機械的及び電気的に接続するためのキャップと、
前記キャップに取付けられた光透過性エンベロープと、
前記エンベロープ内部に配されると共に前記キャップの近位に配されたステムと、
前記エンベロープ内に延在しているストリップ及び前記ステムを少なくとも部分的に囲んでいるキャリアであって、２つ以上の固体照明装置が前記キャリア上に取付けられている、前記キャリアと、
を有する電球。
【請求項１０】
前記電球が気体充填された電球である、請求項９に記載の電球。
【請求項１１】
電球内に配されるように意図された固体照明装置のためのキャリアを製造する方法であって、
平坦な成形可能な基板を設けるステップと、
前記基板上に２つ以上の固体照明装置を取付けるステップと、
前記基板を、実質的に長方形の取付部と前記固体照明装置を支持する２つ以上のストリップとを有する形状に切断するステップであって、前記ストリップは、前記取付部の一方の側に隣接する近位部から前記取付部から離れる方向において環状の取付部から離れた遠位部まで概ね互いに平行に延在していると共に、前記取付部の長手方向において互いに離間されており、各ストリップは、前記取付部から離れる方向における長さと前記ストリップが前記取付部に接合される場所における前記長手方向の幅とを有し、前記長さは前記幅の少なくとも２倍であり、前記ストリップの少なくとも２つが前記遠位部において異なる長さを有する、ステップと、
前記取付部を、概ねチューブ形のキャリアを形成するように管状の形状に形成するステップと、
を有する方法。
【請求項１２】
前記ストリップの少なくとも１つを屈曲させるステップ及び捻るステップの少なくとも１つを更に有する、請求項１１に記載の方法。
【請求項１３】
前記形成するステップが、前記基板を二つ折りするステップであって、この結果、前記固体照明装置は二つ折りされた前記基板の両側に配されるステップを含む、請求項１１に記載の方法。
【発明の詳細な説明】
【技術分野】
【０００１】
本発明は、電球のための固体照明（ＳＳＬ）装置のためのキャリア及びこのようなキャリアの製造方法に関する。
【背景技術】
【０００２】
現在、従来の白熱電球を、ＳＳＬ技術に基づく電球に置き換えるという強い傾向がある。ＳＳＬ技術に基づく電球が、典型的には、エネルギー効率、動作寿命及び他の多くの要因に関して優れた性能を有するからである。このような電球の一例が国際出願公開第２０１４／０８０３０１号パンフレットに開示されている。この文献は、ハウジングの内部の熱伝導材料で作られたシートの小さなタブ上に取り付けられた発光ダイオード（ＬＥＤ）を有する照明装置を開示している。
【０００３】
ＳＳＬ技術に基づく電球を作る際に取り組まれなければならない技術的な考慮事項の例は、ＳＳＬ装置を効率的に冷却する方法と、意図される用途の要件を満たす配光を達成する方法とが含まれる。これらの技術課題に対する革新的な解決策を見つけるためのさらなる努力が必要とされている。
【０００４】
米国特許出願公開第２０１４／００４９９７２号は、円筒形の照明装置であって、エンベロープがＬＥＤを備えた可撓性基板を含む照明装置を開示している。円筒形状のエンベロープは、ソケットに対する電気的及び機械的接続を確立するためのベースに取り付けられている。
【０００５】
国際出願公開第２０１３／０７８１８０号パンフレットは、照明装置、例えばレトロフィット電球において使用するためのＬＥＤを含む可撓性基板を開示している。
【発明の概要】
【発明が解決しようとする課題】
【０００６】
電球のためのＳＳＬ装置のために改良された又は代替的なキャリアを提供することが有利である。特に関心のある見地は、キャリアが電球の熱性能を改善するか否か及びキャリアが異なる配光要件への適合を容易にするかどうか否かを含む。
【課題を解決するための手段】
【０００７】
第１の見地では、ＳＳＬ装置のためのキャリアが提示される。このキャリアは、電球内に配されることが意図され、ほぼ管状の形状に屈曲された単一の平坦で成形可能な基板から形成される。当該キャリアは、電球内部にキャリアを取り付けるための環状取付部と、環状取付部から互いに対して概ね平行に延在するとともに前記環状取付部の接線方向において互いに離間されている２つ以上のストリップとを含む。各ストリップは、取付部から離れる方向における長さと、ストリップが取付部に接合される接線方向における幅とを有する。前記長さは前記幅の少なくとも２倍である。更に、各ストリップは、当該ストリップに沿って取付部からＳＳＬ装置のための指定された取付サイトまで延在する１つ以上の導電性経路と、各取付サイトに取付けられるＳＳＬ装置とを有する。
【０００８】
ストリップは、延在されているクラウン状の形状を形成するように環状取付部から延在している。チューブ形の形状のキャリアにより、電球内の気体が容易に流れ、熱煙突効果を生じさせ得る。これにより、ＳＳＬ装置によって生成された熱の電球外への輸送が改善される。更に、これらのストリップは、屈曲させる、捻じり及び/又は折り畳みによって容易に成形されることができ、ＳＳＬ装置の位置決め及びこれらが光を発する方向の選択に大きな自由度をもたらす。従って、前記キャリアは、意図された用途のための最良の配光の提供を容易にする。
【０００９】
一実施例では、前記長さは、前記幅の少なくとも３倍、代替的には少なくとも４倍又は５倍大きい。前記ストリップの長さを増大させると、熱煙突効果が増大し得る。最適な長さは、当該キャリアが配されている電球の形状及びサイズ並びに所望の光分布などの要因に依存する。
【００１０】
一実施例では、前記ストリップの少なくとも２つは異なる長さを有する。このようなストリップは、配光要件の幾つかへの適合を容易にし得る。
【００１１】
一実施例では、少なくとも１つのストリップは、取付部に隣接する近位部と、取付部から離れた遠位部とを有する。遠位部は、近位部よりも広い。前記幅を広げると、複数のＳＳＬ装置をストリップ上に簡単に取り付けることができる。前記ストリップの全部又は半分は、例えば、この形状を有することができる。
【００１２】
一実施例では、少なくとも１つのストリップは前記取付部から離れた遠位部を有し、前記遠位部は接線方向から見てＶ字形の断面を有する。前記ストリップの全部又は半分は、例えば、Ｖ字形断面を有する遠位部を有することができる。２つのＳＳＬ装置が同じＶの異なる「脚」に取り付けられると、これらは異なる方向に光を発する。
【００１３】
一実施例では、少なくとも１つのストリップは、２つの対向する側の各々に、即ちチューブ形のキャリアに面する側とチューブ形のキャリアから外向きの側との各々に取り付けられた少なくとも１つのＳＳＬ装置を有する。このようにＳＳＬ装置を取り付けると、結果として、一部のＳＳＬ装置が前記キャリアの外側に向かって光を発する一方で、他のＳＳＬ装置はキャリアの内側に向かって光を発する。このことは、光の広い分布を生成することができる。
【００１４】
ストリップの２つの側にＬＥＤを取り付ける代わりに、一方の側にＬＥＤを備えた長いストリップを２つ折りにされることができる。このことにより、ＳＳＬ装置の幾つかは前記キャリアの内側に向かって指向され得て、ＳＳＬ装置の幾つかは外側に指向され得る。
【００１５】
一実施例では、前記キャリアは、取付部から延在する少なくとも１つの締結ストリップを有する。このような締結ストリップは、前記キャリアを電球内部に機械的に固定するのに使用されることができる。
【００１６】
一実施例では、取付部は半径方向に複数の孔を含む。前記孔は取付部を完全に通り抜け、電球の製造中に、特に電球のエンベロープが封止される場合に、ＳＳＬ装置に熱が輸送されるのを防止するのに役立つ。
【００１７】
第２の見地において、前記電球をランプソケットに機械的及び電気的に接続するためのキャップと、前記キャップに取り付けられた透光性エンベロープと、前記エンベロープの内側に配置されると共に前記キャップの近くに配されたステムと、添付の請求項の何れかに記載のキャリアとを有する電球であって、前記取付部は、前記ステムを少なくとも部分的に取り囲み、前記ストリップは前記エンベロープ内に延在する、電球が提供される。２つ以上のＳＳＬ装置がキャリアに取付けられている。この第２の見地の効果及びフィーチャは、前記第１の見地に関連して上述したものと同様である。
【００１８】
一実施例では、前記電球は気体充填された電球である。前記気体（例えば、ヘリウム）は、ＳＳＬ装置から前記エンベロープへのより良好な熱伝達を与えることによって熱性能を改善することができる。当該電球は気体の混合物（例えば、ヘリウムと酸素との混合）を含むことができる。気体の混合物の使用は、ＳＳＬ装置のルーメンの低下（depreciation）を低減することによって電球の寿命を改善することができる。
【００１９】
第３の見地では、ＳＳＬ装置のためのキャリアであって、電球内に配されるように意図されたキャリアを製造する方法が提供される。当該方法は、２つ以上のＳＳＬ装置を有する平坦な成形可能な基板を設けるステップと；ほぼ長方形の取付部と、前記取付部の一方の側から前記取付部から離れる方向にほぼ平行に延在するとともに前記取付部の長手方向において互いに離間されている２以上のストリップとを有する形状に切断するステップであって、各ストリップは、前記取付部から離れる方向における長さと前記ストリップが前記取付部に接合される場所における前記長手方向における幅とを有し、前記長さは前記幅の少なくとも２倍である、ステップと；概ねチューブ形のキャリアを形成するように、前記取付部を環状の形に形成するステップと；を有する。この第３の見地の効果及びフィーチャは、第１の見地に関連して上述したものと同様である。
【００２０】
一実施例では、当該方法は、少なくとも１つのストリップを屈曲させる、捻じる及び／又は折り畳むステップを更に含む。ストリップを屈曲させる、捻じる及び折り畳むことによって、所望の配光を達成するようにＳＳＬ装置を指向することが可能である。
【００２１】
本発明は、特許請求の範囲に記載されたフィーチャの全ての可能な組み合わせに関する。
【００２２】
本発明のこの見地及び他の見地は、添付図面を参照してより詳細に記載される。
【図面の簡単な説明】
【００２３】
【図１】キャリアを製造する方法のステップの幾つかのフローチャートである。
【図２】図１のフローチャートのステップの幾つかを概略的に示している。
【図３】前記キャリアの例を模式的に示している。
【図４】前記キャリアの例を模式的に示している。
【図５】前記キャリアの例を模式的に示している。
【図６】前記キャリアの例を模式的に示している。
【図７】電球の斜視図における模式的な分解図である。
【図８】電球の断面側面図である。
【発明を実施するための形態】
【００２４】
本発明は、ここで、本発明の現在好ましい実施例が示されている添付図面を参照して以下でより詳細に説明される。しかしながら、本発明は多くの異なる形態で実施することができ、本明細書に記載の実施例に限定されるものと解釈されるべきではない。むしろ、これらの実施例は、徹底さ及び完全性のために提供されるものであり、本発明の範囲を当業者に完全に伝えるものである。
【００２５】
図１及び図２ａ乃至２ｄを参照して、ＳＳＬ装置のためのチューブ状キャリアの製造方法の一例が記載される。キャリア及びＳＳＬ装置は、一緒に三次元のｌ２構造を形成する。前記キャリアは、例えば、Ａ６０電球を対象とすることができる。
【００２６】
ステップＳ１において、平坦な成形可能な基板１が設けられる。基板１は、例えば、プリントエレクトロニクスのための基板、フレキシブルプリント回路基板（ＦＰＣＢ）又は湾曲可能なメタルコアプリント回路基板（ＭＣＰＣＢ）であっても良い。
【００２７】
ステップＳ２において、幾つかのＳＳＬ装置２が、指定された取付サイトにおいて基板１上に取付けられる（図２Ａ参照）。ＳＳＬ装置２は、例えば、半導体ＬＥＤ、有機ＬＥＤ、ポリマＬＥＤ又はレーザダイオードであっても良い。ＳＳＬ装置２の全ては、同じ色の光、例えば白色光を発するように構成されることができる。代替的には、異なるＳＳＬ装置２は異なる色の光を発するように構成されることができる。ＳＳＬ装置２は、絶縁経路３ｂも有する基板１上の電気経路３ａに電気的に接続されている。電気的経路３ａは、典型的には基板１上に印刷された導電性材料によって形成されるが、他の何らかの仕方において（例えばエッチングによって）基板１上に配されても良い。正極端子３Ａ'と負極端子３Ａ''は、電気経路３ａの端部によって形成されている。
【００２８】
ステップＳ３では、基板１を取付部４と２つ以上のストリップ５とを有する形状に切断する。切断された基板１が図２ｂに示されている。ＳＳＬ装置２は、基板１が切断される前又は後に基板１上に取付けられても良く、即ちステップＳ２はステップＳ３に先行しても又は後続しても良いことに留意されたい。基板１の切断は、例えば、スタンピング、レーザ切断又はミリングを含むことができる。基板１を切断する最良の仕方は、基板１の種類に依存する。スタンピング又はレーザ切断は、しばしばＦＰＣＢを切断するのに使用され、屈曲可能なＭＣＰＣＢは、しばしば、屈曲加工やスタンピングによって切断される。偶数又は奇数個のストリップ５が設けられ得て、この数は典型的には１０個未満である。取付部４はほぼ長方形である。長さｌと幅ｔは、共に、キャリアが意図されている電球に関連している設計要件に適合するように選択される。長さｌは、例えば約７ｃｍであり得て、幅ｔは、例えば３ｍｍから１０ｍｍの範囲内であり得る。ストリップ５は、取付部４の一方の側から延在し、取付部４の長手方向において距離ｄだけ離間されている。距離ｄは、０.１ｍｍから１０ｍｍの範囲内にあり得る。図２ｂに示される例において、距離ｄは全てのストリップ５の間で同じであるが、これは他の実施例においてそうであってもなくても良い。各ストリップ５は、ストリップ５が取付部４に接合される幅ｗを有し、ストリップ５は、自身の全長に沿ってこの幅を有する。従って、ストリップ５は一定の幅ｗを有する。他の例では、ストリップ５が取付部に接合される幅はストリップ５間で異なり、及び/又はストリップ５の幅は一定でなくても良い。ストリップ５の半分は第１の長さｌ１を有し、他の半分は第１の長さｌ１より短い第２の長さｌ２を有する。第１及び第２の長さｌ１、ｌ２は共に幅ｗの少なくとも２倍大きい。短いストリップ５と長いストリップ５とは交互に配されている。勿論、ストリップの長さの他の多くの構成も可能である。他の実施例において、例えば、全てのストリップ５が同じ長さを有していても良く、即ち第１の長さｌ１が第２の長さｌ２に等しくても良い（図２ｄに図示）。幅ｗ及び第１及び第２の長さｌ１、ｌ２の最も適切な値は、用途に依存する。幅ｗは、典型的には、３ｍｍ〜１０ｍｍの範囲内である。キャリア６がＡ６０電球を対象とする場合、第１の長さｌ１は、例えば約８ｃｍであっても良い。第２の長さｌ２は、例えば、約１ｃｍから約ｌ１にすることができる。
【００２９】
基板１は、各ストリップ５上に２つのＳＳＬ装置２が設けられるように切断される。他の例では、各ストリップ５上に１つ又は２つ以上のＳＳＬ装置２が存在してもよく、異なるストリップ５は異なる数のＳＳＬ装置２を有しても良い。ＳＳＬ装置２は、ストリップ５上の任意の場所に取り付けられ、ストリップ５上のＳＳＬ装置２の位置は、ストリップ５間で異なっても良い。２つのＳＳＬ装置２は、ストリップ５の長さに沿って分離され、取付部４の遠位にあるストリップの端部の近くに取り付けられる。基板１の２つの対向する側面の一方のみがＳＳＬ装置２を有するが、基板１が二面を持つ印刷回路基板である他の例においては、基板１の両側がＳＳＬ装置２を有することができる。
【００３０】
ステップＳ４では、取付部４が環状に形成されることができる。このことは、取付部４の２つの対向する端部４'、４''が接触し次いで端部４'、４''を互いに取り付けるように、基板を屈曲させることによって達成され得る。例えば、端部４'、４''の一方にフックを設け、フックを受けるために他方に孔等を設けても良い。取付部４は、中心軸Ａ４に沿って見ると円形の形状を有するが、他の実施例において異なる形状を有しても良い。中心軸Ａ４に沿って見た前記取付部４の形状は、例えば、長方形、六角形又は八角形などの多角形であり得る。幾つかの基板１は、取付部４の端部４'、４''を互いに取り付ける必要がないように、自身によって屈曲されたままでいるのに十分に剛性であっても良いことに留意すべきである。もしそうであれば、中心軸Ａ４に沿って見られた場合、取付部４はＣ字形を有し得る。端部４'、４''を一緒に取り付けることにより、当該キャリアの環状形状が経時的により良好に維持される。ステップＳ４の結果は、図２ｃに示されるように全体的にチューブ形のキャリア６であり、図２ｃは、取付部４から延在するリング状の取付部４と、全体的に互いに対して及びキャリア６の中心軸Ａ４に対して平行なストリップ５とを示している。図２ｃから明らかなように、キャリア６ｃは、概してクラウン形状であるように説明されることもできる。図２ｃに示されている実施例のストリップ５は直線状であるが、このことは、他の実施例において必ずしもそうである必要はない。なぜなら、当該方法は、典型的にはステップＳ４の前に典型的に実施されるステップであって、ストリップ５の１つ以上が、所望光分布又は適切な設計が達成されるように、ＳＳＬ装置２が様々な方向に光を発するように何らかの仕方で捻じられ及び/又は折り畳まれるステップを有し得るからである。例えば、ストリップ５は、それぞれの長手方向の軸Ａ１の周りに捻られても良い。ストリップ５の長手方向の軸Ａ１に垂直な横軸Ａ２、Ａ３の周りにストリップ５を屈曲することによって、ＳＳＬ装置２の照明方向が所望の程度まで上下に指向されることができる。ＳＳＬ装置２は、例えば、横軸Ａ２、Ａ３の周りにストリップ５を９０度屈曲させることによって光をまっすぐ上に又はまっすぐ下に発するように指向されることができる。図２ｃに示す例において、全てのＳＳＬ装置２は、外側７に向かって、即ちキャリア６の中心軸Ａ４から離れるように指向されているが、ＳＳＬ装置５は、例えば、ＳＳＬ装置２を担持するストリップ５を横軸Ａ２、Ａ３の周りに１８０度屈曲させることによって、キャリア６の内側８に向かって、即ち中心軸Ａ４に向かって指向される。更に、ストリップ５を横軸の周りに屈曲させることによって、ＳＳＬ装置２が取り付けられるストリップ５の部分は、２つのＳＳＬ装置５がわずかに異なる方向に発光するように自身の２つの「脚」の各々に１つのＳＳＬ装置２を有する「Ｖ」字状に形成されることができる。当業者であれば、特定の用途のために最良の光分布を達成するために、ストリップ５が屈曲される、捻じられる及び／又は折り畳まれることができる他の多くの仕方が存在することを理解するであろう。キャリア６が最終形状を与えられた後にストリップ５のＳＳＬ装置２が取付け��れる部分が実質的に平坦であることを確認することは、はんだ接合部及びＳＳＬ装置２に対する機械的応力を最小化にすることに留意されたい。
【００３１】
この方法は、取付部４内に孔９（例えば、図４におけるキャリア６ｂを参照）を形成するステップを含むことができる。このような孔９は、電球の製造中におけるＳＳＬ装置への熱損傷のリスクを低減するのに役立ち得る。当該方法は、また、ストリップ５に開口１０が設けられ、開口１０を通って電線がキャリア６の一方の側から他方の側へと通過し得るステップを含むことができる（図４のキャリア６ｂ参照）。これらの孔９及び開口１０は、典型的には、環形取付部４を形成する前に、即ちステップＳ４の前に基板１を切断することによって形成される。
【００３２】
図２ｄは、取付部４から延在する第１締結ストリップ１１ａ及び第２締結ストリップ１１ｂが設けられるような仕方において切断された基板１を示す。第１締結ストリップ１１ａは、取付部４のストリップ５と同じ側から、ストリップ５間に延在している。第２締結ストリップ１１ｂは反対側から延在している。第１及び第２締結ストリップ１１ａ、１１ｂは、例えば締結ストリップ１１ａ、１１ｂをステムの周りに屈曲することによって、電球のステムにキャリアを締結するために使用されても良い。
【００３３】
図３〜図６は、上述の方法によって製造されることができるキャリアの３つの例を示しており、これらは図２ｃのものに類似しているが、当該キャリアを特定の用途に特に適したものにすることができる幾つかの相違点を備えている。図３のキャリア６Ａは、二つ折りにされた取付部４ａを有する。取付部４ａは、環形状に形成される前に自身に関して折り畳まれている。キャリア６Ａの中心軸Ａ４に沿って見られるように、取付部４ａは、共通の中心及びわずかに異なるサイズを有する２つのＣ字状を形成する形成する。この結果、ストリップ５ａの幾つかにおけるＳＳＬ装置２は、キャリア６Ａの内側に向かって発光するように配され、ストリップ５ａの幾つかにおけるＳＳＬ装置２は、キャリア６Ａの外側に向けて発光するように配される。
【００３４】
図４は、孔９を有する取付部４ｂを有するキャリア６ｂを示す。各ストリップ５ｂは、接線方向から見た場合にＶ字状の形状を有している。Ｖ字状の閉じられた端部は、キャリア６ｂの内側に向かって半径方向に向いている。各ストリップ５ｂは、ストリップ５ｂの中央に向かってわずかに先細りになっている。取付部４ｂの遠位にあるＶ字状の脚は、取付部４の近位にある脚よりもわずかに広い。装着部４ｂよりも遠位のＶ字状の脚は、滴状の形状を有すると共に１つのＳＳＬ装置２を支持している。ＳＳＬ装置２は、図４において若干下方に向けられている。
【００３５】
図５は、キャリア６ｃの別の例を示す。ストリップ５ｃは、取付部４ｃに近接した直線部分と、取付部４ｃの遠位にある湾曲部分とを有する。この屈曲部は、接線方向から見て略Ｖ字状の断面を有し、当該Ｖの閉じられた端部は、径方向においてキャリア６ｃの外側に向いている。各ストリップ５ｃは、ストリップのＶの各「脚部」に１つずつ、２つのＳＳＬ装置２を有する。
【００３６】
図６は、二つ折りストリップ５dを有するキャリア６dを示す。ストリップ５dは、各ストリップ５dの自由端が取付部４と一致する又はほぼ一致するように折り畳まれている。各ストリップ５dは、２つのＳＳＬ装置２を有する。ＳＳＬ装置２の一方はキャリア６dの外側に向けられ、他方は内側に向けられる。
【００３７】
図７及び図８は、上述の方法によって製造されたキャリアを有する電球の例を示す。図７は、電球の中心軸である光軸ＯＡを有する電球１００を示している。電球１００によって生成される照明は、この例において光軸ＯＡの周りに実質的に回転対称である。電球１００は、電球１００の端部に配されたキャップ１０１を有し、キャップ１０１は電球１００をランプソケットに機械的及び電気的に接続するように配されている。キャップ１０１は、典型的には金属製である。この例において、キャップ１０１はネジベースであるが、キャップ１０１は他の実施例においては異なる種類のもの、例えば、バヨネット電球マウントであっても良い。
【００３８】
電球１００はまた光透過性エンベロープ１０２を有し、光透過性エンベロープ１０２の中心はキャップ１０１に対して光軸ＯＡに沿って変位されている。エンベロープ１０２は、例えば、ガラス又はプラスチックで作られることができる。この例において、エンベロープ１０２は、丸い頭部１０２Ａ及び円形の円筒状の頸部１０２ｂによって形成された梨状の形状を有し、頭部１０２Ａ及び頸部１０２ｂは、それぞれキャップ１０１の遠位及び近位にある。エンベロープ１０２は気体で充填されており、電球１００が気体充填された電球である。気体とは、例えば、ヘリウムと酸素との混合物であっても良い。前記気体は、５％と１０％との間の酸素を含むことができる。
【００３９】
ステム１０３は、例えばガラス又はプラスチックから作られることができ、エンベロープ１０２の内側に配されている。ステム１０３は、エンベロープ１０２の頸部１０２ｂとほぼ同じ高さにおいて、キャップ１０１の近位に位置されるベース部分１０３Ａを有する。ベース部分１０３Ａは、それぞれキャップ１０１の遠位及び近位にある円筒部分１０３Ａ'及びフレア部分１０３Ａ''を含んでいる。フレア部１０３Ａ''はときどき「フレア」と称され、円筒部１０３Ａ'はときどき「フレアチューブ」と称される。フレア部１０３Ａ''は先細りになっており、キャップ１０１に向かって幅が広くなっている。他の例では、フレア部１０３Ａ''は実質的に平坦であっても良い。ステム１０３はまた「排気管」とときどき称される管部１０３ｂを有し、この管部を通って気体がエンベロープ１０２内に導入される。チューブ部１０３ｂは、基部１０３Ａよりも小径であり、キャップ１０１から外囲器１０２内に離れる方向に延びている。チューブ部１０３ｂはキャップ１０１の遠位にあるのに対し、ベース部分１０３Ａはキャップ１０１の近位にある。他の実施例において、ステム１０３は管部１０３ｂを有さなくても良いことに留意されたい。例えば、ステム１０３の外面に開口を設けることができ、当該開口を介して気体がエンベロープ１０２内に導入されることができる。ステム１０３は、ステム１０３からエンベロープ１０２内に突出する「リードイン線」とときどき称されるコンタクトワイヤ１０４を有する。コンタクトワイヤ１０４は、ドライバ１０５を介してキャップ１０１に電気的に接続されている。ドライバ１０５の一部を電気的に絶縁する絶縁部１０６が、ドライバ１０５とキャップ１０１との間に配されることができる。
【００４０】
電球１００は、エンベロープ１０２の内側に配されたキャリア６ｂを有する。この例では、キャリア６ｂは図４のものと同様である。キャリア６ｂの取付部４ｂは、光軸ＯＡに沿って見られた場合にステム１０３を囲んでおり、ストリップ５ｂはエンベロープ１０２内に延在している。キャリア６ｂのキャップの近位にあるエッジ４ｂ'は、フレア部１０３Ａ''上に載っている。別の言い方をすれば、フレア部１０３Ａ''は支台としてキャリア６ｂを支持している。これによりフレア部１０３Ａ''はキャリア６ｂが光軸ＯＡに沿ってキャップ１０１に向かって移動するのを防止している。キャリア６ｂは、例えばはんだ付け又は溶接によって、コンタクトワイヤ１０４に電気的に接続される。コンタクトワイヤ１０４は、キャリア６ｂがステム１０３を中心に回転するのを防止すると共にステム１０３をキャップ１０１からエンベロープ１０２に向かう方向に滑らせないようにすることによって、キャリア６ｂをステム１０３に機械的に固定するのを助けている。他の例では、キャリア６ｂは、例えば、円筒形部１０３Ａ'を握り締める又はクランプする上述のもの以外の何らかの仕方でステム１０３に固定されることができることに留意されたい。また、「スパイダー」の一種がキャリア６ｂをステム１０３に機械的に固定するのに使用されることができる。
【００４１】
図８は、クラウン形のキャリア６ｅが異なることを除いて、図７のものと同様の電球１００Ａを示す。図８のキャリア６ｅのストリップ５ｅの各々はステム１０３に近接していると共に光軸ＯＡと実質的に平行な第１の部分とステム１０３の遠位にあると共に光軸ＯＡに対して角度φだけ傾斜されている第２の部分とを有する。角度φは、例えば約３０度であることができる。更に、キャリア６ｅは、例えば、クランプによって、又は一緒に溶接又ははんだ付けされることによって、コンタクトワイヤ１０４が接続されるキャリアワイヤ１０４'を含む。接続されるコンタクト及びキャリアワイヤ１０４１０４'の各対は、ワイヤ１０４、１０４'が互いに接続されている場所において互いに対して４５度未満の角度θを形成する。角度θは３０度未満、２０度未満又は１０度未満であっても良い。電球１００Ａは、電源に接続された電気ソケット内にキャップ１０１をプラグ差し込みすることによって作動され、これによりドライバ１０５はコンタクトワイヤ１０４及びキャリア６ｅを介してＳＳＬ装置２に電力を供給する。ＳＳＬ装置２は、エンベロープ１０２を透過する光を発する。ＳＳＬ装置２によって発生された熱は熱煙突効果を生じ、これによってエンベロープ１０２内の気体がキャリア６ｅの周りを循環する。ＳＳＬ装置２から放散された熱は、キャリア６の表面にわたる熱勾配を生成する。これにより、エンベロープ１０２の内部の循環気体流が生じ、前記気体流の速度はエンベロープ１０２の傍よりもエンベロープ１０２の中心において高い。
【００４２】
当業者であれば、本発明は上述の好ましい実施例に限定されるものではないことを理解するであろう。逆に、添付の特許請求の範囲の範囲内で多くの変更及び変形が可能である。例えば、エンベロープ１０２の形状は、梨状の形に限定されるものではない。他のエンベロープ形状の幾つかの例は、円筒形、楕円形及び円錐形を含んでいる。
【００４３】
更に、開示された実施例に対する変形は、図面、開示及び添付の特許請求の範囲の研究から、請求された発明を実施する際の当業者によって理解され達成され得る。特許請求の範囲において、「含む（comprising）」なる語は他の要素又はステップを排除するものではなく、単数形は複数のこれらの要素又はステップを除外するものではない。特定の手段が相互に異なる従属請求項に列挙されているという単なる事実は、これらの手段の組み合わせが有利に使用できないことを示すものではない。
【図１】
0006580716.tif 000002
【図２ａ】
0006580716.tif 000003
【図２ｂ】
0006580716.tif 000004
【図２ｃ】
0006580716.tif 000005
【図２ｄ】
0006580716.tif 000006
【図３】
0006580716.tif 000007
【図４】
0006580716.tif 000008
【図５】
0006580716.tif 000009
【図６】
0006580716.tif 000010
【図７】
0006580716.tif 000011
【図８】
0006580716.tif 000012